(57)【要約】【課題】      糸巻き量補正用部材の重ね巻き調節により、使用号数に柔軟に対応可能でコストの低減が図れる魚釣用リ−ルのスプ−ルを提供することである。【解決手段】  スプ−ル４の釣糸巻回胴部４ｂの外周には柔軟性を有するシ−ト状の糸巻き量補正用部材５が多層に重ね巻き貼着されている。  糸巻き量補正用部材５の各層は１枚のシ−トからなり、釣糸巻回胴部４ｂの形状を展開した湾曲状に形成され、貼着部の上に弾性体部が重ねられ、弾性体部の上に印刷したり、意匠シ−トをラミネ−トして形成された表面コ−ト部が重ねられて形成され、糸巻き量補正用部材５の両端には、釣糸の端に形成する結び目玉を係止する凹部からなる釣糸滑り止め係止部５ｄ、５ｄが形成され、表面コ−ト部５ｃの表面には釣糸の滑り止め用の粗面処理の凹ａ、凸ｂからなる釣糸滑り止め係止部５ｅが、印刷等で形成されている。【選択図】        図２
2005151926.tif 000002
【特許請求の範囲】
【請求項１】
釣糸が巻回される釣糸巻回胴部を有する魚釣用リ−ルのスプ−ルにおいて、前記釣糸巻回胴部に柔軟性を有するシ−ト状の糸巻き量補正用部材を貼着可能としたことを特徴とする魚釣用リ−ルのスプ−ル。
【請求項２】
糸巻き量補正用部材に、釣糸滑り止め係止部が形成されていることを特徴とする請求項１記載の魚釣用リ−ルのスプ−ル。
【請求項３】
糸巻き量補正用部材の表面に、文字、数字、記号、模様等が適宜表示されていることを特徴とする請求項１記載の魚釣用リ−ルのスプ−ル。
【発明の詳細な説明】
【技術分野】
【０００１】
本発明は、ハンドル操作で連動する釣糸案内部を介して釣糸が巻回する魚釣用リ−ルのスプ−ルの改良に関する。
【背景技術】
【０００２】
従来魚釣用スピニングリ−ルは、ハンドル回転で前後動するスプ−ルに、ロ−タの釣糸案内部を介してスプ−ルに釣糸を巻回する構成であり、釣場の状況や釣法等により、スプ−ルに巻回される下巻部分を不要として実際に使用する釣糸をスプ−ルに巻回するための糸巻き量調節用として、スプ−ルの釣糸巻回胴部に補助枠体（エコノマイザ−）を装着することが、特許文献１及び特許文献２で見られるように従来から知られている。
【特許文献１】実開昭５５−８１５７９号公報
【特許文献２】実開昭５６−５２９７２号公報
【発明の開示】
【発明が解決しようとする課題】
【０００３】
解決しようとする問題点は、前記特許文献１及び２は、金型で樹脂成形された一対の補助枠体を、スプ−ルの釣糸巻回胴部を挾着して取り付けるもので、金型成形のため製造コストが高価となる。
又、釣糸の使用号数毎に使用する補助枠体（エコノマイザ−）の形状が異なるので、数種類の使用号数に対応する補助枠体を金型製作しなければならず、不経済である。
使用しない補助枠体が余って無駄となると共により細かい糸巻き量に対応した下巻対応が経済的にみても難しい。
更に、補助枠体は金型成形品のため、デザイン面での制約が生じ易く、色々なデザインが得られ難く、外観性に欠ける課題を残している。
【０００４】
本発明の目的は前記欠点に鑑み、柔軟性を有するシ−ト状の糸巻き量補正用部材の重ね巻き調節により、使用号数に柔軟に対応可能でコストの低減が図れる魚釣用リ−ルのスプ−ルを提供することである。
【課題を解決するための手段】
【０００５】
本発明の請求項１は、釣糸が巻回される釣糸巻回胴部を有する魚釣用リ−ルのスプ−ルにおいて、前記釣糸巻回胴部に柔軟性を有するシ−ト状の糸巻き量補正用部材を貼着可能としたことを要旨とするものである。
本発明の請求項２は、糸巻き量補正用部材に、釣糸滑り止め係止部が形成されていることを要旨とするものである。
本発明の請求項３は、糸巻き量補正用部材の表面に、文字、数字、記号、模様等が適宜表示されていることを要旨とするものである。
【発明の効果】
【０００６】
請求項１の本発明により、釣糸巻回胴部に柔軟性を有するシ−ト状の糸巻き量補正用部材を重ね巻き貼着することで、下巻不要の実用糸巻き量の調節が行えるので、従来の金型成形品に比べて低コストで製作できると共に、細糸に対向すべくより細かい糸巻き量調節が可能であり、幅広い下巻不要の糸巻き対応が可能となる。
請求項２の本発明により、糸巻き量の調節以外に巻回される釣糸の滑り現象を防止できる。
請求項３の本発明により、糸巻き量補正用部材へのデザインスペ−スが広くなり、実用的表示が可能となると共に美観を向上させることもできる。
【発明を実施するための最良の形態】
【０００７】
スプ−ル４の釣糸巻回胴部４ｂの外周には柔軟性を有するシ−ト状の糸巻き量補正用部材５が多層に重ね巻き貼着されている。
糸巻き量補正用部材５の各層は１枚のシ−トからなり、釣糸巻回胴部４ｂの形状を展開した湾曲した形状に形成され、貼着部５ａの上にウレタン等からなる弾性体部５ｂが重ねられ、弾性体部５ｂの上に印刷したり、意匠シ−トをラミネ−トして形成された表面コ−ト部５ｃが重ねられて形成されている。
糸巻き量補正用部材５の両端には釣糸の端に形成する結び目の玉を係止する凹部からなる釣糸滑り止め係止部５ｄ、５ｄが形成され、表面コ−ト部５ｃの表面には釣糸の滑り止め用の粗面処理の凹ａ、凸ｂからなる釣糸滑り止め係止部５ｅが削ったり印刷等で形成されている。
更に表面コ−ト部５ｃに文字、数字、記号、模様等を描いてもよい。
【実施例１】
【０００８】
以下、図示の実施例によって本発明を説明すると、魚釣用リ−ルのスプ−ルを魚釣用スピニングリ−ルのスプ−ルで述べれば、図１は魚釣用スピニングリ−ルの要部断面側面図、図２はスプ−ルの釣糸巻回胴部に巻回された糸巻き量補正用部材の断面側面図、図３はスプ−ルの釣糸巻回胴部に巻回された糸巻き量補正用部材の側面図、図４は図２のＦ４−Ｆ４断面線の背面図、図５は台紙に貼着された糸巻き量補正用部材の平面図と一部拡大平面図、図６は台紙に貼着された糸巻き量補正用部材の拡大断面側面図である。
【０００９】
魚釣用スピニングリ−ルは、リ−ル本体１の前部の回転軸筒２の前端にロ−タ３の中心筒部３ａが回り止め嵌合されてナット１０で取り付けられている。
回転軸筒２の中心透孔には前側にスプ−ル４が取り付けられたスプ−ル軸１１が前後往復動可能に摺動自在に挿入されている。
回転軸筒２の図示しない基端外周に図示しないピニオンが形成されてピニオンに駆動歯車１２が噛合されている。
ロ−タ３は駆動歯車１２に取り付けられたハンドル１３の回転で駆動歯車１２とピニオンと回転軸筒２を介して回転される。
【００１０】
ロ−タ３は中心筒部３ａで回転軸筒２に取り付けられ、筒部３ａと連結部３ｂと大径の筒部３ｃと大径の筒部３ｃの基部の外周から前方に向けて突出された一対の支持ア−ム３ｄ、３ｅとで形成されて支持ア−ム３ｄの前部に一方のベ−ル支持部材１４がビス１５で止められ、支持ア−ム３ｅの前部に他方のベ−ル支持部材１６がビス１７で止められて図１の釣糸巻取位置と図示しない釣糸放出位置に反転自在に軸承されている。
一方のベ−ル支持部材１４にはベ−ル取付部１８とロ−ラからなる釣糸案内部１９が取り付けられている。
他方のベ−ル支持部材１６とベ−ル取付部１８の間にベ−ル２０が取り付けられている。
【００１１】
スプ−ル４は前側鍔部４ａと釣糸２１が巻回される釣糸巻回胴部４ｂと後側鍔部４ｃと円筒部４ｄとで形成されている。
釣糸巻回胴部４ｂの外周には柔軟性を有するシ−ト状の糸巻き量補正用部材５が多層に重ね巻き貼着され、図１から図４では４層に巻回貼着されている。
糸巻き量補正用部材５の各層は１枚のシ−トからなり、図５、図６のように釣糸巻回胴部４ｂの形状を展開した湾曲した形状に形成され、貼着部５ａの上にウレタン等からなる弾性体部５ｂが重ねられ、弾性体部５ｂの上に印刷したり、意匠シ−トをラミネ−トして形成された表面コ−ト部５ｃが重ねられて形成されている。
糸巻き量補正用部材５の両端には釣糸の端に形成する結び目の玉を係止する凹部からなる釣糸滑り止め係止部５ｄ、５ｄが形成され、表面コ−ト部５ｃの表面には釣糸の滑り止め用の粗面処理の凹ａ、凸ｂからなる釣糸滑り止め係止部５ｅが削ったり印刷等で形成されている。
更に表面コ−ト部５ｃに文字、数字、記号、模様等を描いてもよい。
【００１２】
糸巻き量補正用部材５は台紙６の上に貼着されて必要に応じて台紙６から剥して釣糸巻回胴部４ｂの外周に貼着され、又は予め巻回された釣糸巻回胴部４ｂから剥して台紙６に貼着されて保管される。
糸巻き量補正用部材５の厚さはウレタン等からなる弾性体部５ｂの厚さによって調整される。
スプ−ル４の形状や寸法及び使用糸と糸巻き量等に応じて、出荷段階やオペションパ−ツとして用意された同一の厚さの糸巻き量補正用部材５や異なった厚さの糸巻き量補正用部材５を必要に応じて選択して使用する。
【００１３】
図１から図４では糸巻き量補正用部材５を４層に予め巻回貼着されていて、例えば出荷段階で、スプ−ル４の形状や寸法及び使用糸と糸巻き量等の関係により、予め糸巻き量補正用部材５の厚さや幅寸法等が設定されており、例えば、
４層のまま糸巻き量補正用部材５の上に巻回される糸巻き量は、
２Ｉｂ（ポンド）の糸で１１０ｙｄｓ（ヤ−ド）／１００ｍ
１枚剥して３層にすると
３Ｉｂ（ポンド）の糸で１１０ｙｄｓ（ヤ−ド）／１００ｍ
２枚剥して２層にすると
４Ｉｂ（ポンド）の糸で１１０ｙｄｓ（ヤ−ド）／１００ｍ
３枚剥して１層にすると
５Ｉｂ（ポンド）の糸で１１０ｙｄｓ（ヤ−ド）／１００ｍ
となり、糸巻き量補正用部材５上に巻回される所望の釣糸の上巻き量が確実に巻回確保される。
釣糸２１がスプ−ル４に巻回される時は釣糸２１に形成される結び目の玉が凹部からなる釣糸滑り止め係止部５ｄに係止されて糸巻き量補正用部材５の上に釣糸２１が滑ることなく確実に巻回される。
【００１４】
魚釣用スピニングリ−ルの動作は、釣糸２１がスプ−ル４に巻回される方向にハンドル１３が回転されると、駆動歯車１２と図示しないピニオンと回転軸筒２を介してロ−タ３が正回転される。
釣糸２１がスプ−ル４に巻回される時は、一方のベ−ル支持部材１４に設けられたロ−ラからなる釣糸案内部１９で釣糸２１が案内されて前後に往復動されるスプ−ル４に平行に巻回される。
【００１５】
糸巻き量補正用部材５で下巻不要の実用糸巻き量（上巻き）の調節を行う時は、出荷段階で予め釣糸巻回胴部４ｂの外周に貼着された糸巻き量補正用部材５上に、
所望の釣糸を巻回したり、実際に上巻きされる使用糸と糸巻き量の関係に対応すべく、多層に重ね巻き貼着された糸巻き量補正用部材５を必要に応じて剥したり、或は、付属品として用意された台紙６上に貼着された数種類の厚みの異なる糸巻き量補正用部材５の中から必要なものを剥して、釣糸巻回胴部４ｂに貼着して糸巻き量補正用部材５上に釣糸を巻回する等、釣人が必要に応じて糸巻き量補正用部材５を釣糸巻回胴部４ｂに貼着したり、或は、多層に重ね貼着されている糸巻き量補正用部材５を剥したりして、実用釣糸（上糸）が、スプ−ル４の釣糸巻回胴部４ｂ上に巻回される。
糸巻き量補正用部材５の両端には釣糸の端に形成する結び目の玉を係止する凹部からなる釣糸滑り止め係止部５ｄ、５ｄを形成して、糸止めの機能を糸巻き量補正用部材５に設けることで、釣糸の巻き初めが容易になる。
表面コ−ト部５ｃの表面には釣糸の滑り止め用の粗面処理の凹ａ、凸ｂからなる釣糸滑り止め係止部５ｅが形成されているので、巻回された釣糸の滑りを防止してスム−ズに釣糸の繰り出しが可能となる。
表面コ−ト部５ｃに文字、数字、記号、模様等を容易に描くことができるので、デザイン面の制約が解消され、様々な外観を得ることができて、美観を向上させることが可能となる。
【００１６】
前記のように魚釣用スピニングリ−ルが構成されると、釣糸巻回胴部４ｂの外周に柔軟性を有するシ−ト状の糸巻き量補正用部材５を貼着することで、下巻不要の実用糸巻き量の調節が行えるので、従来の金型成形品に比べて低コストで製作できると共に、細糸に対向すべくより細かい糸巻き量調節が可能であり、幅広い下巻不要の糸巻き対応が可能となる。
糸巻き量の調節以外に巻回される釣糸の滑り現象を防止できる。
糸巻き量補正用部材５へのデザインスペ−スが広くなり、実用的表示が可能となると共に美観を向上させることもできる。
【産業上の利用可能性】
【００１７】
前述の実施例では、スピニングタイプのリ−ルで説明したが、両軸受リ−ルや片軸受リ−ル等、他の形式のリ−ルのスプ−ルに実施してもよい。
【図面の簡単な説明】
【００１８】
【図１】魚釣用スピニングリ−ルの要部断面側面図である。
【図２】スプ−ルの釣糸巻回胴部に巻回された糸巻き量補正用部材の断面側面図である。
【図３】スプ−ルの釣糸巻回胴部に巻回された糸巻き量補正用部材の側面図である。
【図４】図２のＦ４−Ｆ４断面線の背面図である。
【図５】台紙に貼着された糸巻き量補正用部材の平面図と一部拡大平面図である。
【図６】台紙に貼着された糸巻き量補正用部材の拡大断面側面図である。
【符号の説明】
【００１９】
１  リ−ル本体
３  ロ−タ
４  スプ−ル
４ｂ  釣糸巻回胴部
５  糸巻き量補正用部材
５ｄ、５ｅ  釣糸滑り止め係止部
２１  釣糸
【図１】
2005151926.tif 000003
【図２】
2005151926.tif 000004
【図３】
2005151926.tif 000005
【図４】
2005151926.tif 000006
【図５】
2005151926.tif 000007
【図６】
2005151926.tif 000008